(57)【要約】【課題】  ビジネスの場面においても違和感なく装着でき、保温効果に優れるウォームタイの提供。【解決手段】  着用者の首を周回し得る長さを有し、両端を合わせ留める留め具を有する首回り部と、首回り部の長手方向中央部に取り付けられていてかつ長手方向に対して略直角方向に設けられ、着用者がワイシャツのボタンを外した際に、ワイシャツの首元を十分に覆い得る程度に幅広に形成されている保温部を備えるウォームタイである。  保温部は、前部１０２と後部１０３とを備え、首回り部１０４、１０５と交差する前部には前方に突出する突出部１２１が形成される。前部は細幅であって、後部は幅広であって、突出部は、前部の側端部を幅方向に絞り固定させて形成されている。【選択図】      図３
0003120079.tif 000002
【実用新案登録請求の範囲】
【請求項１】
着用者の首を周回し得る長さを有し、両端を合わせ留める留め具を有する首回り部と、
首回り部の長手方向中央部に取り付けられていてかつ長手方向に対して略直角方向に設けられ、着用者がワイシャツの第一ボタン又は第二ボタンを外した際に、ワイシャツの首元を十分に覆い得る程度に幅広に形成されている保温部とを備えるウォームタイ。
【請求項２】
前記保温部は、前部と後部とを備え、前記前部には前記首回り部と交差する位置において前方に突出する突出部が形成されることを特徴とする請求項１に記載のウォームタイ。
【請求項３】
前記前部は細幅の帯体であり、前記後部は幅広の帯体であり、前記突出部は、前部の側端部を幅方向に絞り固定させて形成されていることを特徴とする請求項２に記載のウォームタイ。
【請求項４】
前記前部は細幅の帯体であり、前記後部は幅広の帯体であり、前記突出部は、前部を幅方向に絞り、ひだが形成されていることを特徴とする請求項２に記載のウォームタイ。
【請求項５】
前記後部は、その上端部が略Ｖ字形状に形成されていることを特徴とする請求項２乃至４に記載のウォームタイ。
【請求項６】
前記前部は、着脱可能に構成されていることを特徴とする請求項２乃至５に記載のウォームタイ。
【考案の詳細な説明】
【技術分野】
【０００１】
地球温暖化防止対策の一環として、役所では１８℃、公共スペース・オフィス等では２０℃という冬場の暖房設定温度が、この２００５年冬場より政府により推奨された。そういった時代の背景を受け、本考案は、ビジネスの場面においても違和感なく装着でき、暖房温度の低い場所であっても首回りがタートルネック、ハイネックセーターのように暖かいウォームタイに関する。
【背景技術】
【０００２】
冬場に暖をとるにはワイシャツやシャツの下にタートルネック、ハイネックのセーターを着ることが有効な手段である。しかしながら、温度変化に応じて脱着することが困難である。そういった不便さを解消するために薄い布地のスカーフのような幅広のネクタイであるアスコットタイをタートルネックやハイネックセーターの代わりに着用することもできる。このようなアスコットタイの装着においては、ワイシャツ襟の内側で結び目をつくり、幅広の前帯部を前方へ膨らませて形状をつくるのが一般的である。
【考案の開示】
【考案が解決しようとする課題】
【０００３】
しかしながら、従来のアスコットタイは、結び目を作ることによって成形するので、第一に首回りにコブができるような感覚が生じて着用時に違和感をもたらすものである。
第二に所望の形状に整えて着用するには時間を要するうえ、布地が薄く、形がついていないので、動作とともに着用時に整えた形状が崩れることがある。
また、形を崩れなくするためにピンで留めたとしても、着用感を良好に保つために首回りに余裕を持たせる必要がある以上、形状を保持することは困難であった。
さらに、タートルネック、ハイネックはもとより、アスコットタイも着脱には手間がかかるので、暖房温度の異なる場所に移動した場合、例えば、暖房温度が高いために汗ばむような場合に容易に脱ぐことができず、逆に暖房温度が低いために、首回りが寒い場合に容易に着用することができなかった。
このような不都合から、忙しく、スマートな着こなしが要求される会社内や商談の場といったビジネスの場面で使用するには不向きであった。
【０００４】
本考案は、このような事情に鑑みてなされたものであり、タートルネック、ハイネックセーターのような暖かさを有しつつも、暖房温度の高低に応じてワンタッチに着脱でき、型崩れが生じ易く結び目のあるアスコットタイの難点を克服して、ネクタイを締めざるを得ないビジネスの場面においても違和感なく着用できるウォームタイの提供を目的とする。
【課題を解決するための手段】
【０００５】
上記課題を解決するため、本考案に係るウォームタイは、着用者の首を周回し得る長さを有し、両端を合わせ留める留め具を有する首回り部と、首回り部の長手方向中央部に取り付けられていてかつ長手方向に対して略直角方向に設けられ、着用者がワイシャツの第一ボタン又は第二ボタンまでを外した際に、ワイシャツの首元を十分に覆い得る程度に幅広に形成されている保温部とを備えることを特徴とする。
【０００６】
さらに、上記課題を解決するため、本考案に係るウォームタイは、上記特徴に加えて、前記保温部は、前部と後部とを備え、前記前部には前記首回り部と交差する位置において前方に突出する突出部が形成されることを特徴とする。
【０００７】
さらに、上記課題を解決するため、本考案に係るウォームタイは、上記特徴に加えて、前記前部は細幅の帯体であり、前記後部は幅広の帯体であり、前記突出部は、前部の側端部を幅方向に絞り固定させて形成されていることを特徴とする。
【０００８】
さらに、上記課題を解決するため、本考案に係るウォームタイは、上記特徴に加えて、前記前部は細幅の帯体であり、前記後部は幅広の帯体であり、前記突出部は、前部を幅方向に絞り、ひだが形成されていることを特徴とする。
【０００９】
さらに、上記課題を解決するため、本考案に係るウォームタイは、上記特徴に加えて、前記後部は、その上端部が略Ｖ字形状に形成されていることを特徴とする。
【００１０】
さらに、上記課題を解決するため、本考案に係るウォームタイは、上記特徴に加えて、前記前部は、着脱可能に構成されていることを特徴とする。
【考案の効果】
【００１１】
本考案のウォームタイによれば、予め成形されているので型崩れせず、突出部がネクタイを想起させるのでビジネスの場面での使用においても違和感がない。
さらに、首回りの保温効果に優れるとともに、暖房温度の高低に応じて容易に着脱可能であって、場所による温度変化に迅速に対応することが可能である。また、収納時にも嵩張らないものである。
さらに、ワイシャツの襟幅内に収まるので、ファッション性に優れるとともに、着用時に首が締まる感覚を生じることもなく、着用感に優れるものである。
【考案を実施するための最良の形態】
【００１２】
以下、本考案のウォームタイについて図面を参照しながら説明するが、本考案はこれらの実施例に記載されたもののみに限定されるものではない。まず、本考案に係るウォームタイの第一実施例について説明する。図１は、本考案の第一実施例のウォームタイ１０１の構成部材を示す斜視図である。ウォームタイ１０１は、概ね、保温部と首回り部から構成される。
【００１３】
首回り部の帯体１０４、１０５は、装着時にワイシャツの襟からはみ出ないように細幅に形成されている。そして、首回り部１０４、１０５の端部において、それぞれ留め具が設けられているが、図１及び図２に示されているように、本実施例では留め具としてマグネット１０４ａ、１０５ａ、１０５ｂが複数個設けられている。
【００１４】
このように、マグネットを留め具として複数個設けていることから、着用者の首回りの長さに応じて適宜に調整することができる。すなわち、マグネット１０４ａは、マグネット１０５ａ、マグネット１０５ｂのいずれにも接着可能である。例えば、首回りの長い着用者の場合には、マグネット１０４ａは、端縁よりのマグネット１０５ａに接着すればよく、首回りの短い着用者の場合には、マグネット１０４ａは、マグネット１０５ｂに接着すれば、好適な着用状態が維持できる。なお、マグネットの個数は、特に限定されるものではなく、マグネットの形状も円形状のものに限定されず、矩形状のものでもよいことはもちろんである。
【００１５】
さらに、本実施例では、保温部を構成する前部１０２を着脱可能にする留め具１０６ａ、１０６ｂ、１０６ｃが首回り部の帯体１０４、１０５の略中央に設けられている。本実施例では、留め具１０６ａ、１０６ｂ、１０６ｃは面ファスナーとしているが、これに限定されるものではなく、マグネットを用いて留め具としてもよい。さらに、留め具の形状も特に限定されるものではない。
【００１６】
保温部は、前部１０２と後部１０３から構成されており、本実施例では、前部１０２と後部１０３とは別個の帯体から構成されている。前部１０２と後部１０３とは、絹が用いられているが、ウール、綿、ポリエステルなどの合成繊維であってもよく、特に限定されるものではない。なお、絹などの薄手の素材を用いる場合には中に芯地を入れることによってボリュームを出して形の補強をしてもよい。
【００１７】
図１に示されるように、後部１０３は、上端１０３ａがＶ字形状に形成されている。例えば、後部１０３を構成する縦３０ｃｍ、横２０ｃｍの長方形の帯体は、その上端においてＶ字形状に裁断される。Ｖ字形状は特に限定されないが、Ｖ字の傾斜角度がおよそ４０度になることが好適である。
【００１８】
前部１０２は、後部１０３よりも細幅に形成される。本実施例では、前部１０２は剣状に形成されているが、後部より細幅であれば前部の形状は特に限定されるものではない。
【００１９】
そして、前部１０２の上方には前方に突出する突出部１２１が形成されている。突出部１２１は、前部の側端部を幅方向に細幅に絞られ固定されて形成されている。すなわち、前部１０２の側端部同士を縫合することで、幅方向に細幅に絞られ固定される。これにより前方に突出する突出部１２１が形成される。
図１に示されるように、本実施例では、前部１０２は着脱可能に構成されており、後述の首回り部への留め具を備える領域１０２１が設けられているので、突出部１２１は領域１０２１よりやや下方に設けられている。
【００２０】
本実施例では、前部１０２は、着脱可能に構成されているので、首回り部への留め具を備える領域１０２１が前部１０２の上端部に設けられている。すなわち、図１に示されるように、前部１０２の裏側には、留め具としての面ファスナー１０２ａ、１０２ｂが設けられ、前述の首回り部の帯体１０４、１０５の略中央の面ファスナー１０６ａ、１０６ｂ、１０６ｃに留められるようになっている。面ファスナーの形状、大きさは適宜選択可能であり、この留め具もマグネットやフックなどでもよいことはいうまでもない。
【００２１】
このように前部１０２は着脱可能に構成されているので、色柄の異なる前部１０２´を設けることも可能である。すなわち、色柄の異なる前部を複数設けることによって、その日の着用者の好みに応じて適宜前部を選択することができファッション性にも優れているものである。
【００２２】
このように形成された前部１０２と後部１０３は、首回り部の帯体１０４、１０５の長手方向略中央において、首回り部を挟んで前部１０２と後部１０３が首回り部に対して略直角に配置される。
すなわち、後部１０３は、図２に示されるように、Ｖ字形状の端部１０３ａと首回り部の帯体１０４、１０５の下端とを縫合することによって、首回り部の帯体１０４、１０５に縫着される。
他方、前部１０２は、着脱可能に形成されているので、図３に示されるように、留め具によって、首回り部の帯体１０４、１０５の略中央において、首回り部と前部の突出部１２１とが交差するように留められることになる。このようにして、ウォームタイ１０１が構成される。
【００２３】
次に、この実施例のウォームタイ１０１の使用について説明する。図５は、本考案の第一実施例のウォームタイの使用状態を示す図である。本考案にかかるウォームタイ１０１は、首回りに直接着用するものである。すなわち、後部１０３上縁がおおよそ喉元にくるように位置決めするとともに、首回り部の帯体１０４、１０５を首に回して、端部のマグネット１０４ａ、１０５ａ、１０５ｂによって適当な位置で留める。
【００２４】
マグネット１０４ａ、１０５ａ、１０５ｂを留めた後、後部１０３をワイシャツの中に入れ込み、首回り部の帯体１０４、１０５をワイシャツの襟の内側に納まるように整える。これに対して、前部１０２は、図５に示されるように、ワイシャツの外に出して着用する。
ウォームタイの前部１０２には突出部１２１が形成されているので、着用する際に形を形成する手間がいらず、長時間着用していても型崩れがすることがない。
【００２５】
さらに、第一実施例では、前部１０２が後部１０３と比較して、細幅に構成され、前部１０２には前方に突出する突出部１２１が形成されているので、従来のネクタイのような感覚で、ネクタイの代用として気軽に着用することが可能であり、着用において心理的抵抗感が少ない。また、後部１０３が幅広の構成となっているので、斜めからみた場合であっても、肌着がみえることがなく違和感のないものである。
【００２６】
ウォームタイ１０１を脱ぐ場合は、首回り部の帯体１０４、１０５の端部のマグネット１０４ａ、１０５ａ、１０５ｂを外すことにより、簡単に脱ぐことができる。さらに、折りたたむことが可能であるので嵩張らず、背広の内ポケットなどに迅速に収納することが可能であり、忙しいビジネスの場面においても使い勝手の極めて良いものである。
【００２７】
さらに、後部１０３の上端１０３ａはＶ字形状に形成されているので、後部１０３の幅が広い場合であっても、ウォームタイ着用時に後部の上端が上にずり上がることがなく、胸元にしわがよらないので着用時にすっきりとするものである。
なお、本実施例では、前部１０２は、着脱可能に構成したが、着脱可能ではなく首回り部に縫合する構成としてもよいことはもちろんである。
【００２８】
次に本考案に係るウォームタイの第二実施例について説明する。図６は、本考案の第二実施例のウォームタイ２０１の構成部材を示す斜視図である。ウォームタイ２０１は、概ね、保温部と首回り部から構成される。
首回り部の帯体２０４、２０５は、装着時にワイシャツの襟からはみ出ないように細幅に形成されている。そして、首回り部２０４、２０５の端部において、それぞれ留め具であるマグネット２０４ａ、２０５ａ、２０５ｂが複数個設けられ、保温部を構成する前部２０２を着脱可能にする留め具として面ファスナー２０６ａ、２０６ｂ、２０６ｃが首回り部の略中央に設けられている。この点は第一実施例と同様であり、留め具２０６ａ、２０６ｂ、２０６ｃはマグネットを用いてもよく、形状も特に限定されるものではない。
【００２９】
保温部は、前部２０２と後部２０３から構成されており、本実施例では、前部２０２と後部２０３とは別個の帯体から構成されている。例えば、縦３０ｃｍ、横６０ｃｍの二つの帯体をそれぞれ三つ折りにして縦３０ｃｍ、横２０ｃｍの長方形を形成して端部を縫合し、一方を前部とし、他方を後部としている。
また、厚生地の一枚もので保温部を形成してもよく、この場合は三つ折りにして縫製する必要がない。保温効果を考慮して適宜に保温部の生地を選択することが可能である。
本実施例においては、後部２０３の横幅は２０ｃｍとしている。前部２０２と後部２０３とは、絹が用いられているが、綿、ウール、ポリエステルなどの合成繊維であってもよく特に限定されるものではない。なお、絹などの薄手の素材を用いる場合には中に芯地を入れることによってボリュームを出して形の補強をしてもよい。
【００３０】
図６に示されるように、後部２０３は、上端２０３ａがＶ字形状に形成されている。すなわち、三つ折りにされた縦３０ｃｍ、横２０ｃｍの長方形の帯体は、その上端においてＶ字形状に裁断される。Ｖ字形状は特に限定されないが、Ｖ字の傾斜角度がおよそ４０度になることが好適である。
【００３１】
前部２０２は、後部２０３よりも細幅に形成されるのは、第一実施例と同様である。本実施例では、前部２０２は、両端部から内側に畳み込まれ、幅５ｃｍの細幅の略長方形状に形成されて端部が縫合される。
【００３２】
そして、前部２０２の上方には前方に突出する突出部２２１が形成されている。突出部２２１は、前部２０２の側端部を幅方向に細幅に絞られ固定されて形成されている。すなわち、内側に畳み込まれて細幅の略長方形状に形成された前部２０２の側端部同士を縫合することで、幅方向に細幅に絞られ固定される。これにより前方に突出する突出部２２１が形成される。
本実施例では、前部２０２は着脱可能に構成されており、後述の首回り部への留め具を備える領域２０２１が設けられているので、突出部２２１は前部２０２の領域２０２１よりやや下方に設けられている。
【００３３】
本実施例では、前部２０２は着脱可能に構成されているので、首回り部への留め具を備える領域２０２１が前部２０２の上端部に設けられている。すなわち、図６に示されるように、前部２０２の裏側には、留め具としての面ファスナー２０２ａ、２０２ｂ、２０２ｃが設けられ、前述の首回り部の帯体２０４、２０５の略中央の面ファスナー２０６ａ、２０６ｂ、２０６ｃに留められるようになっている。面ファスナーの形状、大きさは適宜選択可能であり、この留め具もマグネットやフックなどでもよいことはいうまでもない。
【００３４】
このように前部２０２は着脱可能に構成されているので、色柄の異なる前部を設けてもよいし、ビジネス用とプライベート用の前部を設けてもよい。例えば、図６の前部２０２´は、ビジネスの場面で着用されるのに対して、前部２０２´´は、プライベートな場面で着用されるものとしてもよい。
すなわち、前部２０２´は、その突出部２２１´が、細幅の略長方形状に形成された前部の側端部同士を縫合することで、幅方向に細幅に絞られ固定されて形成されており、突出部の形状がネクタイの結び目を想起させるものであるので、ビジネスの場面で違和感なく使用されるものである。一方、前部２０２´´は、その突出部２２１´´が、前部を幅方向に絞り、ひだ状に形成されていることから、プライベートな場面での着用に適合するものである。
【００３５】
このように形成された前部２０２と後部２０３は、首回り部の帯体２０４、２０５の長手方向略中央において、首回り部を挟んで前部２０２と後部２０３が首回り部に対して略直角に配置される。
すなわち、後部２０３は、図７に示されるように、Ｖ字形状の端部２０３ａと首回り部の帯体２０４、２０５の下端とを縫合することによって、首回り部の帯体２０４、２０５に縫着される。
他方、前部２０２は、着脱可能に形成されているので、図８に示されるように、留め具によって、首回り部の帯体２０４、２０５の略中央において、首回り部と前部の突出部２２１とが交差するように留められることになる。このようにして、ウォームタイ２０１が構成される。
【００３６】
第二実施例のウォームタイ２０１の使用については、基本的には、第一実施例での使用と同様であるが、本実施例の前部は、第一実施例の前部と比べると長さが短く構成されているので、図１０に示されるように、前部２０２をワイシャツの中に入れ込むことも可能である。すなわち、マグネット２０４ａ、２０５ａ、２０５ｂを留めた後、後部２０３だけでなく、前部２０２もワイシャツの中に入れ込み、首回り部の帯体２０４、２０５をワイシャツの襟の内側に納まるように整える。
さらに、前部２０２が着脱可能に形成されているので、その日の気分に応じて適宜別の色柄の前部２０２´、２０２´´を選んで着用することが可能であり、多様なファッション性をもたせることができる。また、ビジネスやプライベートといった場面に応じて適宜前部を取り替えて使用することが可能である。
【００３７】
なお、本実施例では、前部２０２は、着脱可能に構成していたが、着脱可能ではなく首回り部に縫合する構成としてもよいことはもちろんである。
また、本実施例では、前部は、着用時に下方に垂れるような構成としたが、前方に突出する突出部があればよく、下方に垂れない構成としてもよい。すなわち、第三実施例として、図１１に示される前部３０２は、前方に突出する突出部３２１を有するが、着用時に下方に垂れないものである。そして、突出部３２１を、適宜に花、星の形状とするなどして前方に突出する構成とすることも可能である。
【００３８】
図１２は、本考案の第四実施例のウォームタイの正面図である。ウォームタイ４０１は、概ね、保温部と首回り部とから構成されるが、図１２に示されるように、保温部は、首回り部の長手方向略中央において、首回り部に対して略直角に幅広の帯体を配置して構成されている。すなわち、保温部は、細幅の前部４０２と幅広の後部４０３から構成されており、本実施例では、前部４０２と後部４０３とは一枚の帯体で一体構成されているが、別個の帯体から構成してもよいことはもちろんである。
【００３９】
首回り部は、帯体４０４、４０５で構成され、装着時にワイシャツの襟からはみ出ないように細幅に形成されている。本実施例では、首回り部は細長の一枚の帯体を四つ折にして構成されており、４ｃｍの幅としているが、幅長は特に限定されない。長さは４６ｃｍとしているがこれに限定されるものではない。
【００４０】
そして、首回り部の帯体４０４、４０５の端部には、それぞれ留め具が設けられ、本実施例では、面ファスナー４０４ａ、４０５ａが設けられているが、これに限定されるものではなく、マグネット、フックなども適宜選択可能である。
【００４１】
前部４０２と後部４０３は、本実施例においては、細長の一枚の帯体から構成されている。すなわち、まず、縦６０ｃｍ、横１４ｃｍの帯体の中央で二つ折りにして、前部分を前部とし、後部分を後部としている。この時点では、前部と後部は、それぞれ縦３０ｃｍ、横１４ｃｍの長方形状である。
【００４２】
前部４０２と後部４０３は、本実施例においては、絹が用いられているが、綿、ウール、ポリエステルなどの合成繊維であってもよく特に限定されるものではない。首回りに直接着用するものなので、保温効果に優れており、肌に優しい素材が好適である。なお、絹などの薄手の素材を用いる場合には中に芯地を入れることによってボリュームを出して形の補強をしてもよい。
【００４３】
その後、前部４０２は、後部４０３よりも細幅に形成される。すなわち、前部４０２は、両端部から内側に畳み込まれ、細幅の略長方形状に形成される。本実施例では、内側に畳み込まれることにより幅５ｃｍの略長方形状に形成して、畳み込まれた端部が縫合される。
【００４４】
そして、前部４０２の上部には前方に突出する突出部４２１が形成されている。突出部４２１は、前部の側端部を幅方向に細幅に絞り固定することで形成されている。すなわち、内側に畳み込まれて細幅の略長方形状に形成された前部の上部の端部同士を縫合することで、幅方向に細幅に絞られ固定される。これにより前方に突出する突出部４２１が形成される。
【００４５】
このように形成された前部４０２と後部４０３は、首回り部の長手方向略中央において、首回り部を挟んで前部４０２と後部４０３が首回り部に対して略直角に、首回り部と前部の突出部４２１とが交差するように配置される。その後、前部４０２と後部４０３は、首回り部の帯体４０４、４０５に縫合されて、ウォームタイ４０１が形成される。
【００４６】
この実施例のウォームタイ４０１の使用については、第二実施例での使用方法と同様である。すなわち、面ファスナー４０４ａ、４０５ａを留めた後、後部４０３だけでなく、前部４０２もワイシャツの中に入れ込み、首回り部の帯体４０４、４０５をワイシャツの襟の内側に納まるように整えて装着する。
なお、本実施例では、前部４０２は、首回り部に縫合されて着脱できない構成としていたが、別の実施例として着脱可能に構成してもよいことはもちろんである。
【００４７】
このように、本考案に係るウォームタイによれば、予め成形されているので型崩れせずビジネスの場面での使用においても違和感がない。
さらに、ワイシャツの襟幅内に収まるので、ファッション性にも優れ、着用時に首が締まる感覚を生じることもなく、着用感に優れるものである。
暖房温度の高低に応じて容易に着脱可能であって、場所による温度変化に迅速に対応することが可能であって、暖房温度が低く設定されている場合、暖房温度を上昇させなくても容易に首回りの暖をとることが可能であり、ひいては地球温暖化防止にも貢献できるものである。
【図面の簡単な説明】
【００４８】
【図１】本考案の第一実施例のウォームタイの構成部材を示す斜視図である。
【図２】本考案の第一実施例のウォームタイの前部を取付ない状態での斜視図である。
【図３】本考案の第一実施例のウォームタイの前部の取付状態を示す図である。
【図４】本考案の第一実施例のウォームタイの側面図である。
【図５】本考案の第一実施例のウォームタイの使用状態を示す図である。
【図６】本考案の第二実施例のウォームタイの構成部材を示す斜視図である。
【図７】本考案の第二実施例のウォームタイの前部を取付ない状態での斜視図である。
【図８】本考案の第二実施例のウォームタイの前部の取付状態を示す図である。
【図９】本考案の第二実施例のウォームタイの側面図である。
【図１０】本考案の第二実施例のウォームタイの使用状態を示す図である。
【図１１】本考案の第三実施例のウォームタイの斜視図である。
【図１２】本考案の第四実施例のウォームタイの正面図である。
【図１３】本考案の第四実施例のウォームタイの背面図である。
【図１４】本考案の第四実施例のウォームタイの側面図である。
【図１５】本考案の第四実施例のウォームタイの平面図である。
【符号の説明】
【００４９】
１０１      ウォームタイ
１０２      前部
１０３      後部
１０４      帯体
１０４ａ    マグネット
１０５      帯体
１０５ａ    マグネット
１０５ｂ    マグネット
１２１      突出部
【図１】
0003120079.tif 000003
【図２】
0003120079.tif 000004
【図３】
0003120079.tif 000005
【図４】
0003120079.tif 000006
【図５】
0003120079.tif 000007
【図６】
0003120079.tif 000008
【図７】
0003120079.tif 000009
【図８】
0003120079.tif 000010
【図９】
0003120079.tif 000011
【図１０】
0003120079.tif 000012
【図１１】
0003120079.tif 000013
【図１２】
0003120079.tif 000014
【図１３】
0003120079.tif 000015
【図１４】
0003120079.tif 000016
【図１５】
0003120079.tif 000017